(57)【要約】【課題】装飾体を保持する機能と発光機能を併せ持つ面発光建築用パネルを提供する。【解決手段】端面から入射した光を前面から出射して面状に発光する透明な導光板６と、該導光板６の端面に光を照射する光源７と、導光板６の背方に設けられて面状の装飾体５を導光板６の背面と略平行に保持する装飾体保持部を備える。前記導光板６が発光したときに装飾体保持部に収納された装飾体５が導光板６を介して視認されないようにする。【選択図】        図１
2010182465.tif 000002
【特許請求の範囲】
【請求項１】
略矩形板状でその背面側を屋内空間の壁又は天井の内装面に沿わせて設置される面発光建築用パネルであって、端面から入射した光を前面から出射して面状に発光する透明な導光板と、該導光板の端面に光を照射する光源と、導光板の背面に設けられて面状の装飾体を導光板の背面と略平行に保持する装飾体保持部を備え、前記導光板が発光したときに装飾体保持部に収納された装飾体が導光板を介して視認されないようにしたことを特徴とする面発光建築用パネル。
【請求項２】
前記装飾体と導光板の間に光通過層が形成され、該光通過層の外周の一部から光を導入する装飾体用光源が設けられることを特徴とする請求項１に記載の面発光建築用パネル。
【請求項３】
前記装飾体保持部から装飾体を出し入れ可能とすることを特徴とする請求項１又は請求項２に記載の面発光建築用パネル。
【発明の詳細な説明】
【技術分野】
【０００１】
本発明は導光板を面状に発光させる面発光建築用パネルに関する。
【背景技術】
【０００２】
住宅の廊下や玄関等に写真や絵画等のシート状の装飾体を額に入れて飾ることが一般に行われているが、これら装飾体は発光機能を有していない。
【０００３】
また、例えば特許文献１のように、蛍光ランプ等の光源にて導光板を面状に発光させ、該導光板の前面に設けられた矢印等の表示サインを照明するエッジライトパネルが知られており、誘導灯等に利用される。しかし、このエッジライトパネルは写真などの装飾体を保持する機能がない。
【先行技術文献】
【特許文献】
【０００４】
【特許文献１】特開２００１−２３６８０９
【発明の概要】
【発明が解決しようとする課題】
【０００５】
このように従来では装飾体を保持する機能と周囲を照らす機能の一方のみを有するものがあったが、両機能を併せ持つものはなく、両機能が必要な場合は夫々を別個に設置する必要があった。
【０００６】
本発明は上記従来の事情に鑑みてなされたものであって、装飾体を保持する機能と発光機能を併せ持つ面発光建築用パネルを提供することを課題とする。
【課題を解決するための手段】
【０００７】
上記課題を解決するために、本発明は略矩形板状でその背面側を屋内空間の壁又は天井の内装面に沿わせて設置される面発光建築用パネルを提供するものであって、該面発光建築用パネルは以下の特徴的な構成を有している。端面から入射した光を前面から出射して面状に発光する透明な導光板６と、該導光板６の端面に光を照射する光源７と、導光板６の背方に設けられて面状の装飾体５を導光板６の背面と略平行に保持する装飾体保持部を備える。前記導光板６が発光したときに装飾体保持部に収納された装飾体５が導光板６を介して視認されないようにする。
【０００８】
また、本発明においては、前記装飾体５と導光板６の間に光通過層が形成され、該光通過層の外周の一部から光を導入する装飾体用光源８が設けられることが好ましい。
【０００９】
また、本発明においては、前記装飾体保持部から装飾体５を出し入れ可能とすることが好ましい。
【発明の効果】
【００１０】
本発明にあっては導光板の背方に設けられた装飾体保持部にて装飾体を保持することができる。そして、昼等の周囲が明るい状態にあるときにおいて導光板を非発光状態にした場合には、透明な導光板を通して装飾体を視認することができる。一方、夜等の周囲が暗い状態にあるときにおいて光源を発光させることで導光板を面状に発光させることができ、この場合は導光板を通して装飾体が見えなくなる。したがって、光源を非発光状態とすることにより装飾体を鑑賞することが可能となって鑑賞用に利用することができ、光源を発光させることにより周囲を照らす照明として利用することができる。
【００１１】
また、装飾体と導光板の間に光通過層を形成し、該光通過層の外周の一部から光を導入する装飾体用光源を設けることにより、装飾体用光源から光通過層に導入された発光で装飾体の前面を照らして、導光板を通して視認される装飾体を演出することができる。
【００１２】
また、前記装飾体保持部から装飾体を出し入れ可能とすることで、装飾体を別の装飾体に容易に交換することができ、飽きのこないものとすることができる。
【図面の簡単な説明】
【００１３】
【図１】本発明の実施形態の一例を示す図２のＡ−Ａ断面図である。
【図２】同上の面発光建築用パネルを壁面に取り付けた状態を示す斜視図である。
【図３】同上の面発光建築用パネルを分解した斜視図である。
【図４】同上の基板取付具を取り付けベースに取り付ける前の状態を示す斜視図である。
【図５】同上の取り付けベースの斜視図である。
【図６】同上の導光板を取り付けベースに取り付けた状態における右上のコーナー部を示す斜視図である。
【図７】同上の導光板を取り付けベースに取り付けた状態における面発光建築用パネルの左上のコーナー部を示す斜視図である。
【図８】同上の面発光建築用パネルから装飾体を出し入れする様子を示した斜視図である。
【図９】同上の面発光建築用パネルの導光板発光時において導光板の両側端面から発せられた光を示した斜視図である。
【図１０】他例の面発光建築用パネルを壁に設置した状態を示す要部縦断面図である。
【発明を実施するための形態】
【００１４】
以下、本発明の実施形態について添付図面に基づいて説明する。
【００１５】
図１乃至図９に本実施形態の一例の面発光建築用パネル１を示す。本例の面発光建築用パネル１は、図２のように、全体として略矩形板状に形成され、その背面側を建物の廊下や玄関、部屋等の壁２に沿わせて設置されるものであって、主に壁２と反対側となる前面側を照らすものである。
【００１６】
図３のように、面発光建築用パネル１は、壁２の室内側の面となる壁面２ａに取り付けられる略矩形板状の取り付けベース３と、該取り付けベース３によって保持される矩形状の下地板４、矩形面状の装飾体５、矩形状の導光板６、及び光源７、８（図１参照）を備えている。
【００１７】
下地板４は取り付けベース３の前面に沿って配置され、装飾体５は下地板４の前面に沿って配置される。また、導光板６は装飾体５の前面に沿って配置され、これにより下地板４、装飾体５、導光板６は壁面に沿って配置されることとなる。光源７、８のうち、一方の光源は導光板６の端面に光を照射して導光板６を面状に発光させる導光板用光源７であり、他方の光源は装飾体５を照らす装飾体用光源８である。
【００１８】
図５のように、取り付けベース３はアルミ等の金属板や合成樹脂板で構成されている。取り付けベース３の壁面２ａに沿う背板部９の四隅にはねじ用孔１０が設けられている。取り付けベース３を壁２に取り付けるには、取り付けベース３の前方から各ねじ用孔１０にねじ１１を挿通し、各ねじ１１を壁２に固着する。
【００１９】
背板部９の両側縁には前方に突出する側縁片部１２ａ、１２ｂが全長に亘って形成されている。
【００２０】
下地板４はその背面が取り付けベース３の背板部９の前面に当接し、且つ、両側の側縁片部１２ａ、１２ｂの間に嵌め込まれた状態で取り付けベース３に固定される。なお、下地板４は取り付けベース３に接着してもよい。
【００２１】
図３のように下地板４の前面の上下の縁部の夫々には全長に亘って長尺な透光材１３が接着等により取り付けられる。
【００２２】
導光板６はアクリルやガラス等の透明な材料により形成され、上端面が前記導光板用光源７から発せられた光が導入される入射面となり、前面及び両側端面が前記入射面から導入された光を出射する出射面となっている。
【００２３】
導光板６の外周端面の適宜箇所には導光板６に入射した光を反射して前記出射面へと導く鏡面加工が施されている。また、導光板６の背面には光拡散性を高めて前記出射面から主に光を出射するために導光パターンが形成されているが、該導光パターンは導光板６の透明度を高めるため、φ０．１ｍｍ程度の微小な印刷ドットや微小プリズム等からなるものや、透明度の高い光拡散インクを導光板６に施すこと等により形成される。つまり、導光板６の背面は透明で背方の装飾体５を視認できる程度の透明性を有し且つ光拡散性の高い光拡散面となっている。
【００２４】
取り付けベース３の両側端には導光板６を固定するため固定手段１４、１５が夫々形成されている。
【００２５】
各固定手段１４、１５は、側縁片部１２ａ、１２ｂの上端部及び下端部を前方に延出して形成した突片部１６と、上の突片部１６の前縁から内側方に向けて突出した押さえ片部１７で構成されている。
【００２６】
導光板６は、その背面の上下の縁部が対応する透光材１３の前面に接着されると共に、前面の上縁部の両側端部が対応する押さえ片部１７の背面に沿い、且つ、両側の側端面が対応する突片部１６に沿った状態で、取り付けベース３に固定される。
【００２７】
このように導光板６を透光材１３を介して下地板４の前面に設けることで、導光板６は下地板４の前方に隙間１８を介して配置される。すなわち、上下の透光材１３は導光板６を隙間１８を介して下地板４に設置するためのスペーサ部材を構成する。
【００２８】
図６及び図７に示すように、導光板６の出射面の一部を構成する両側の側端面は対応する固定手段１４、１５の上下の突片部１６の間に形成された空所２０を介して外側方に露出し、両外側方にも光を出射する。
【００２９】
装飾体５は前記隙間１８に配置され、下地板４の前面に沿い、且つ、導光板６の背面と略平行にされた状態で保持される。つまり、本例では隙間１８を形成する透光材１３、導光板６及び下地板４で装飾体保持部が構成されている。
【００３０】
装飾体５は、写真や絵画等からなる前面に装飾を施したシート状の装飾物と、該装飾物が抜き差し自在に挿入される透明なシート状フォルダーで構成され、面状に形成される。なお、装飾体５はこれに限定されず、写真や絵画等からなるシート状装飾物そのものや、板状の装飾物等であってもよい。
【００３１】
図１に示すように、各透光材１３の前部には他方の透光材１３側に向かって突出する突出部２１が形成され、突出部２１と後方の下地板４の間には差込溝２２が形成されている。前記装飾体５の上下の縁部は対応する差込溝２２に挿入される。該装飾体５と前方の導光板６の間には光通過層を構成する空気層２３が形成される。
【００３２】
装飾体５は以下の構成により図８のように前記隙間１８に面発光建築用パネル１の外側方から出し入れ自在に収納される。
【００３３】
取り付けベース３の両側の側縁片部１２ａ、１２ｂのうち、一方の側縁片部１２ａは他方の側縁片部１２ｂよりも前方への突出長さが短くなっている。側縁片部１２ａから前方の突出する上下の突片部１６ａの後端部には空所２０側（他方の突片部１６ａ側）に向かって開口する切欠２４が形成され、各切欠２４は前記差込溝２２の一側端部に連通している。
【００３４】
隙間１８は前記切欠２４が形成された上下の突片部１６ａの後端部の間の空所を介して外側方に開口し、この空所を介して装飾体５は前記隙間１８に出し入れされる。このとき、導光板６は上下の縁部を対応する切欠２４や差込溝２２に挿入した状態で左右方向にスライドして抜き差しできるようになっている。このように面発光建築用パネル１から装飾体５を出し入れ自在とすることで、装飾体５を別の装飾体に容易に交換することができ、飽きのこないものとすることができる。
【００３５】
取り付けベース３の上端部には両側端部を除いて基板取付部２６が形成されている。基板取付部２６は背板部９の上縁から前側に向けて突設され、側断面Ｌ字状に形成されている。
【００３６】
図４のように、基板取付部２６の前面には、側断面が基板取付部２６と逆向きのＬ字状をした取付具２７が取り付けられる。この取付具２７の下面には左右に長尺な回路基板２８が取り付けられている。
【００３７】
回路基板２８の前部には導光板６に光を照射して導光板６を面状に発光させる導光板用光源７として発光ダイオード７ａが左右方向に複数並べて実装されている。
【００３８】
導光板６の入射面を構成する上端面は前記導光板用光源７を構成する各発光ダイオード７ａの下方に位置し対向する。各発光ダイオード７ａから下方に向けて発せられた光は導光板６の上端面から導光板６に入射し、この後、導光板６の前面及び両側の側端面から出射する。これにより導光板６が略全体に亘って発光する。
【００３９】
回路基板２８の後部には、装飾体５を照らす装飾体用光源８として発光ダイオード８ａが左右方向に複数並べて実装されている。なお、図示例の発光ダイオード７ａ及び発光ダイオード８ａは前後に並べて設けられている。上下の透光材１３のうち、上の透光材１３の前部は、図１のように前記装飾体用光源８を構成する各発光ダイオード８ａの下方に位置し対向する。
【００４０】
各発光ダイオード８ａから下方に向けて発せられた光は図１の矢印に示すように透光材１３を透過した後、前記装飾体５と導光板６の間に形成された空気層２３に至り、該空気層２３を介して装飾体５の前面に照射される。これにより、装飾体５の前面は略全体に亘って照らされる。
【００４１】
また、取り付けベース３の上縁部及び下縁部には全長に亘る断面Ｌ字状の縁材３１が夫々取り付けられる。図２のように、各縁材３１によって、導光板６の上下の縁部や、取り付けベース３の上下の縁部、取り付けベース３に設けられた取付具２７、回路基板２８、光源７、８、ねじ１１、下端部に設けられる電源ユニット３２等が覆い隠され、面発光建築用パネル１の前面における両縁材３１の間においては導光板６の前面のみが露出した状態となる。
【００４２】
面発光建築用パネル１は、両光源７、８を消灯するＯＦＦモードと、両光源７、８のうち導光板用光源７のみを発光させて導光板６を面状に発光させる通常発光モードと、装飾体用光源８のみを発光させて装飾体５を演出する演出発光モードとからなる切替可能な３つのモードを備えている。
【００４３】
ＯＦＦモードでは、光源７、８を構成する各発光ダイオード７ａ、８ａが消灯状態となる。このため、面発光建築用パネル１を前方から見た場合には、非発光状態にある導光板６を通して装飾体５の前面を視認することができ、装飾体５を鑑賞することができる。
【００４４】
通常発光モードでは、導光板用光源７を構成する各発光ダイオード７ａが発光状態となり、前述のように導光板６の入射面から導入された光はそのほとんどが出射面から出射されて導光板６が面状に発光する。このため、面発光建築用パネル１により周辺を照らすことができ、照明として利用できる。また、この通常発光モードでは、導光板６が発光するのに対して装飾体５は装飾体用光源８により照らされないので、この光のコントラストにより装飾体５の前面を面発光建築用パネル１の前方から導光板６を通して視認することができない状態となる。つまり、本例の面発光建築用パネル１にあっては、導光板６を非発光状態として装飾体５を見えるようにしたり、導光板６を発光させることにより装飾体５が見えないようにしたりすることができる。なお、この通常発光モードでは、図９のように光を導光板６の前面に加えて両側の側端面からも出射することができ、左右方向の幅広い範囲を照らすことができる。
【００４５】
演出発光モードでは、装飾体用光源８を構成する各発光ダイオード８ａが発光状態となり、前述のように装飾体５の前面が照らされる。この演出発光モードにおいて面発光建築用パネル１を前側から見ると、非発光状態にある導光板６を通して、前記装飾体用光源８で照らされた装飾体５の前面を視認することができる。
【００４６】
なお、前記モードの切替は手動で行うものであってもよいし、面発光建築用パネル１の下端部に設けられる照度センサーや人体検知センサー等からなるセンサー３５の検出結果に基づいて自動で行えるようにしてもかまわない。
【００４７】
以上説明した面発光建築用パネル１は、装飾体保持部にて装飾体５を保持することができる。そして、夜等の周囲が暗いときには通常発光モードとして周辺を照らすことができる。また、昼等の周囲が明るいときにはＯＦＦモードに、夜等の周囲が暗いときには演出発光モードに切り替えて導光板６を非発光状態とすることで、透明な導光板６を通して装飾体５を視認可能な状態とすることができる。
【００４８】
また、演出発光モードに切り替えた場合、装飾体用光源８から発せられた光を直接空気層２３の外周の一部から導入して装飾体５の前面を照らすことができ、装飾体用光源８の光で装飾体５を照らし、演出効果を得ることができる。
【００４９】
次に他例の面発光建築用パネル１について説明する。なお、以下の説明では前記一例の面発光建築用パネル１と同一の構成については同一の番号を付与し、重複する説明は省略する。
【００５０】
図１０に示す他例の面発光建築用パネル１は、装飾体用光源８、光通過層を構成する空気層２３、透光材１３を有しておらず、導光板６の背面を下地板４よりも薄い板状の装飾体５の前面に接着又は当接している。つまり、この場合は、導光板６及び下地板４にて面状の装飾体５を導光板６の背面に沿って保持する装飾体保持部が構成される。なお、本例でも下地板４及び導光板６の夫々を取り付けベース３に固定する等して、装飾体５を導光板６と下地板４の間に形成される隙間に出し入れ自在に収納してもかまわない。
【００５１】
本例の面発光建築用パネル１にあっても、導光板用光源７を発光して導光板６を発光させることにより面発光建築用パネル１の周辺を照らすことができ、尚且つ、導光板用光源７を消灯して導光板６を非発光状態とすることにより透明な導光板６を通して装飾体５を視認可能な状態とすることができる。
【００５２】
なお、前記一例の面発光建築用パネル１は、透光材１３を下地板４の縁部に亘って設けたが、下地板４の縁部に沿って複数並べて設けてもよい。特にこの場合、透光材１３を装飾体用光源８の光が通過しない位置に配置することもでき、この場合は透光材１３は光が透過しない材料により形成することもできる。
【００５３】
また、前記各例の面発光建築用パネル１は、導光板６の一辺を構成する上端面を入射面としたが、導光板６の他のいずれの辺を構成する端面を入射面としてもよく、また、複数の辺を入射面としてもよい。また、導光板６の前面及び両側の側端面を出射面としたが、前面のみを出射面としたり、前面及び上下の端面を出射面としてもよく、すなわち、導光板６の少なくとも前面が出射面であればよい。
【００５４】
また、装飾体５は上方や下方から面発光建築用パネル１に出し入れ可能に収納されるものであってもよい。
【００５５】
また、光通過層を空気層２３で構成したが、透明な部材により構成してもよい。また、装飾体用光源８から発せられた光の光通過層への導入方向は側方や下方からであってもよく、つまり光通過層から導光板６の厚み方向と直交する方向に離れた箇所に装飾体用光源８を配置し、ここから発した光を光通過層の外周部の一部に導入し、光通過層を介して装飾体５を照らすものであればよい。
【００５６】
また、導光板用光源７及び装飾体用光源８は長尺な蛍光ランプ等、発光ダイオード以外の他の光源により構成してもかまわない。
【００５７】
さらに、面発光建築用パネル１は屋内空間の壁面に設けたが、天井に設けられるものであってもよい。
【符号の説明】
【００５８】
１  面発光建築用パネル
５  装飾体
６  導光板
７  導光板用光源
８  装飾体用光源
【図１】
2010182465.tif 000003
【図２】
2010182465.tif 000004
【図３】
2010182465.tif 000005
【図４】
2010182465.tif 000006
【図５】
2010182465.tif 000007
【図６】
2010182465.tif 000008
【図７】
2010182465.tif 000009
【図８】
2010182465.tif 000010
【図９】
2010182465.tif 000011
【図１０】
2010182465.tif 000012